(57)【要約】【課題】  画像データのフィルム印刷における患者情報の漏洩とフィルム読影における患者の取り違えを防止する。【解決手段】  入力部８における検査オーダの入力に基づいて識別情報発生部２は当該患者の患者識別情報を発生し識別情報ＤＢ部４に保存する。次いで、前記患者の患者情報と前記検査オーダに基づいて画像データ生成部１が生成した画像データに前記患者識別情報を付加して医療情報ＤＢ部３に保存する。この画像データのフィルム印刷において、印刷用データ生成部５は、開示不可な患者情報の替わりに前記医療情報ＤＢ部３から読み出された患者識別情報と画像データを合成して印刷用データを生成する。一方、フィルム読影において、画像データと共にフィルム印刷された患者識別情報と識別情報ＤＢ部４に保存された患者識別情報との照合結果に基づいて医療情報ＤＢ部３の患者情報を読み出し画像データと患者の照合を行なう。【選択図】  図１
2006198043.tif 000002
【特許請求の範囲】
【請求項１】
検査オーダに基づき患者に対して画像データを生成する画像データ生成手段と、
前記検査オーダに基づいて患者識別情報を発生する識別情報発生手段と、
前記患者識別情報を保存する識別情報記憶手段と、
当該患者の患者情報及び前記画像データに対して前記患者識別情報を付加して保存する医療情報記憶手段と、
フィルム印刷において指定された患者識別情報と前記識別情報記憶手段によって保存された前記患者識別情報の照合結果に基づいて前記医療情報記憶手段から読み出された前記画像データ及び前記患者識別情報を用いてフィルム印刷用データを生成する印刷用データ生成手段を
備えたことを特徴とする医用画像診断システム。
【請求項２】
フィルム印刷された前記フィルム印刷用データにおける前記患者識別情報を検出する識別情報検出手段と前記医療情報記憶手段に保存された前記患者情報を表示する患者情報表示手段を備え、前記患者情報表示手段は、前記識別情報検出手段によって検出された前記患者識別情報と前記識別情報記憶手段に保存された前記患者識別情報の照合結果に基づいて前記医療情報記憶手段から読み出された前記患者情報を表示することを特徴とする請求項１記載の医用画像診断システム。
【請求項３】
検査オーダに基づき患者に対して画像データを生成する画像データ生成手段と、
アクセス権を設定するアクセス権設定手段と、
前記検査オーダに基づいて患者識別情報を発生する識別情報発生手段と、
前記患者識別情報と前記アクセス権を保存する識別情報記憶手段と、
当該患者の患者情報及び前記画像データに対して前記患者識別情報を付加して保存する医療情報記憶手段と、
フィルム印刷において指定された患者識別情報と前記識別情報記憶手段に保存された前記患者識別情報の照合結果に基づいて前記医療情報記憶手段から読み出された前記画像データ及び前記患者識別情報を用いフィルム印刷用データを生成する印刷用データ生成手段と、
フィルム印刷された前記フィルム印刷用データにおける前記患者識別情報を検出する識別情報検出手段と、
アクセス権情報を入力するアクセス権情報入力手段と、
前記医療情報記憶手段に保存された前記患者情報を表示する患者情報表示手段を備え、
前記患者情報表示手段は、前記識別情報検出手段によって検出された前記患者識別情報及び前記アクセス権情報入力手段によって入力された前記アクセス権情報と前記識別情報記憶手段に保存された前記患者識別情報及び前記アクセス権の照合結果に基づいて前記医療情報記憶手段から読み出された患者情報を表示することを特徴とする医用画像診断システム。
【請求項４】
前記医療情報記憶手段に保存される前記患者情報は開示可能な患者情報と開示不可な患者情報とから構成され、前記印刷用データ生成手段は、前記開示不可な患者情報の代りに前記患者識別情報を用いて前記フィルム印刷用データを生成することを特徴とする請求項１又は請求項３に記載した医用画像診断システム。
【請求項５】
前記印刷用データ生成手段は、前記医療情報記憶手段から読み出された前記画像データ、前記患者識別情報及び前記開示可能な患者情報を用いて前記フィルム印刷用データを生成することを特徴とする請求項４記載の医用画像診断システム。
【請求項６】
前記印刷用データ生成手段は、前記医療情報記憶手段から供給された前記患者識別情報を変調する変調手段を備え、変調された前記患者識別情報と前記画像データを用いて前記フィルム印刷用データを生成することを特徴とする請求項１乃至請求項３の何れか１項に記載した医用画像診断システム。
【請求項７】
前記識別情報検出手段は、フィルム印刷された前記フィルム印刷用データにおける変調された前記患者識別情報を復調する復調手段を備えたことを特徴とする請求項６記載の医用画像診断システム。
【請求項８】
前記印刷用データ生成手段は、フィルム印刷において指定された前記患者識別情報と同一の患者識別情報が付加された前記画像データと前記患者識別情報を用いてフィルム印刷用データを生成することを特徴とする請求項１又は請求項３に記載した医用画像診断システム。
【請求項９】
前記患者情報表示手段は、前記識別情報検出手段によって検出された前記患者識別情報と同一の患者識別情報が付加された前記患者情報を表示することを特徴とする請求項２又は請求項３に記載した医用画像診断システム。
【請求項１０】
前記患者情報及び前記検査オーダはネットワークを介して接続された放射線情報システム（ＲＩＳ）から供給されることを特徴とする請求項１又は請求項３に記載した医用画像診断システム。
【請求項１１】
検査オーダに基づいて患者識別情報を発生する識別情報発生手段と、
前記患者識別情報を保存する識別情報記憶手段と、
前記検査オーダに基づいて患者に対し生成された画像データと前記患者の患者情報に対して前記患者識別情報を付加して保存する医療情報記憶手段と、
フィルム印刷において指定された患者識別情報と前記識別情報記憶手段に保存された前記患者識別情報との照合結果に基づいて前記医療情報記憶手段から読み出された前記画像データ及び前記患者識別情報を用いてフィルム印刷用データを生成する印刷用データ生成手段を
備えたことを特徴とする患者情報管理システム。
【請求項１２】
フィルム印刷された前記フィルム印刷用データにおける前記患者識別情報を検出する識別情報検出手段と前記医療情報記憶手段に保存された前記患者情報を表示する患者情報表示手段を備え、前記患者情報表示手段は、前記識別情報検出手段によって検出された前記患者識別情報と前記識別情報記憶手段に保存された前記患者識別情報の照合結果に基づいて前記医療情報記憶手段から読み出された前記患者情報を表示することを特徴とする請求項１１記載の患者情報管理システム。
【請求項１３】
検査オーダを入力するステップと、
前記検査オーダに基づいて患者識別情報の発生と保存を行なうステップと、
前記検査オーダに基づいて収集された画像データと患者情報に対し前記患者識別情報を付加して保存するステップと、
フィルム印刷において指定された患者識別情報と保存された前記患者識別情報を照合し、指定された前記患者識別情報と同一の患者識別情報が付加された前記画像データと前記患者識別情報を用いてフィルム印刷用データを生成するステップを
有することを特徴とする患者情報管理方法。
【請求項１４】
検査オーダを入力するステップと、
前記検査オーダに基づいて患者識別情報の発生と保存を行なうステップと、
前記検査オーダに基づいて収集された画像データと患者情報に対し前記患者識別情報を付加して保存するステップと、
フィルム印刷において指定された患者識別情報と保存された前記患者識別情報を照合し、指定された前記患者識別情報と同一の患者識別情報が付加された前記画像データと前記患者識別情報を用いてフィルム印刷用データを生成するステップと、
フィルム印刷された前記フィルム印刷用データにおける患者識別情報を検出するステップと、
検出された前記患者識別情報及と保存された前記患者情報を照合し、検出された前記患者識別情報と同一の患者識別情報が付加された前記患者情報を表示するステップを
有することを特徴とする患者情報管理方法。
【発明の詳細な説明】
【技術分野】
【０００１】
本発明は、医用画像診断システム、患者情報管理システム及び患者情報管理方法に係り、特に、患者の個人情報に関する漏洩を防止することが可能な医用画像診断システム、患者情報管理システム及び患者情報管理方法に関する。
【背景技術】
【０００２】
Ｘ線診断装置、Ｘ線ＣＴ装置あるいはＭＲＩ装置等を用いた医用画像診断は、コンピュータ技術の発展に伴って急速な進歩を遂げ、今日の医療において必要不可欠なものとなっている。
【０００３】
従来、上述の画像診断装置を用いて患者に対する検査を行なう場合、担当医師はネットワークを介して画像診断装置と接続された入力部より検査オーダーを入力し、この検査オーダによって選択された画像診断装置において生成された画像データを内部あるいはネットワークを介して接続された医療情報ＤＢにおいて患者情報と共に保管すると共に、所望の画像データはフィルム上に印刷することによって出力していた。
【０００４】
従来、このようなネットワークに接続された医療情報ＤＢに対してログインが可能となった医師らは、医療情報ＤＢに保管されている画像データや患者情報等の医療情報の何れをも制約無しで参照することが可能であった。即ち、参照対象者を厳しく限定すべき医療情報を、如何なる医師も容易に参照することができたため患者プライバシーの侵害に繋がる可能性を有していた。
【０００５】
このような問題点に対応するために、例えば、当該患者あるいはその担当医師による情報開示手続を予め設定しておき、前記患者の医療情報を参照する際には、この情報開示手続に従って医療情報の参照を行なうことにより患者あるいは担当医師の意に反した医療情報の開示を防止する方法が提案されている（例えば、特許文献１参照。）。
【０００６】
一方、フィルム印刷された画像データの保管と読影を行なう際に、画像データと患者情報が印刷されたフィルムは、通常、患者名等の患者情報が記載された包袋に収納された状態で保管棚等に保管されてきた。そして、担当医師は、包袋の表面に記載された患者情報に基づいて多くの包袋の中から所望の包袋を抽出し、この包袋に収納されたフィルム上の画像データを観測（読影）することによって当該患者の診断を行なってきた。
【特許文献１】特開２００２−１９７１８６号公報
【発明の開示】
【発明が解決しようとする課題】
【０００７】
フィルム印刷された画像データを包袋に収納して管理する従来の方法によれば包袋表面あるいはフィルム上に記録された患者情報、即ち、患者名や生年月日、更には疾患名等をこの患者の診断行為に直接関係のない病院関係者（以下、第３者と呼ぶ。）に開示される可能性があり、患者の個人情報が漏洩される危険性があった。
【０００８】
一方、担当医師らは、通常、包袋表面に記載された患者情報に基づいて画像データの取り出しと読影を行なうため、画像データを印刷したフィルムが誤って異なる患者の包袋に収納された場合には、異なる患者の画像データを用いて診断が行なわれる可能性があり、所謂、患者取り違えによる誤診の危険性を有していた。
【０００９】
本発明は、このような従来の問題点に鑑みてなされたものであり、その目的は、患者識別情報を用いて患者情報を含む当該患者の医療情報を一元管理することにより、画像データのフィルム印刷における患者情報の漏洩と、フィルム読影における「患者取り違え」を防止することが可能な医用画像診断システム、患者情報管理システム及び患者情報管理方法を提供することにある。
【課題を解決するための手段】
【００１０】
上述の課題を解決するために、請求項１に係る本発明の医用画像診断システムは、検査オーダに基づき患者に対して画像データを生成する画像データ生成手段と、前記検査オーダに基づいて患者識別情報を発生する識別情報発生手段と、前記患者識別情報を保存する識別情報記憶手段と、当該患者の患者情報及び前記画像データに対して前記患者識別情報を付加して保存する医療情報記憶手段と、フィルム印刷において指定された患者識別情報と前記識別情報記憶手段によって保存された前記患者識別情報の照合結果に基づいて前記医療情報記憶手段から読み出された前記画像データ及び前記患者識別情報を用いてフィルム印刷用データを生成する印刷用データ生成手段を備えたことを特徴としている。
【００１１】
更に、請求項３に係る本発明の医用画像診断システムは、検査オーダに基づき患者に対して画像データを生成する画像データ生成手段と、アクセス権を設定するアクセス権設定手段と、前記検査オーダに基づいて患者識別情報を発生する識別情報発生手段と、前記患者識別情報と前記アクセス権を保存する識別情報記憶手段と、当該患者の患者情報及び前記画像データに対して前記患者識別情報を付加して保存する医療情報記憶手段と、フィルム印刷において指定された患者識別情報と前記識別情報記憶手段に保存された前記患者識別情報の照合結果に基づいて前記医療情報記憶手段から読み出された前記画像データ及び前記患者識別情報を用いフィルム印刷用データを生成する印刷用データ生成手段と、フィルム印刷された前記フィルム印刷用データにおける前記患者識別情報を検出する識別情報検出手段と、アクセス権情報を入力するアクセス権情報入力手段と、前記医療情報記憶手段に保存された前記患者情報を表示する患者情報表示手段を備え、前記患者情報表示手段は、前記識別情報検出手段によって検出された前記患者識別情報及び前記アクセス権情報入力手段によって入力された前記アクセス権情報と前記識別情報記憶手段に保存された前記患者識別情報及び前記アクセス権の照合結果に基づいて前記医療情報記憶手段から読み出された患者情報を表示することを特徴としている。
【００１２】
又、請求項１１に係る本発明の患者情報管理システムは、検査オーダに基づいて患者識別情報を発生する識別情報発生手段と、前記患者識別情報を保存する識別情報記憶手段と、前記検査オーダに基づいて患者に対し生成された画像データと前記患者の患者情報に対して前記患者識別情報を付加して保存する医療情報記憶手段と、フィルム印刷において指定された患者識別情報と前記識別情報記憶手段に保存された前記患者識別情報との照合結果に基づいて前記医療情報記憶手段から読み出された前記画像データ及び前記患者識別情報を用いてフィルム印刷用データを生成する印刷用データ生成手段を備えたことを特徴としている。
【００１３】
一方、請求項１３に係る本発明の患者情報管理方法は、検査オーダを入力するステップと、前記検査オーダに基づいて患者識別情報の発生と保存を行なうステップと、前記検査オーダに基づいて収集された画像データと患者情報に対し前記患者識別情報を付加して保存するステップと、フィルム印刷において指定された患者識別情報と保存された前記患者識別情報を照合し、指定された前記患者識別情報と同一の患者識別情報が付加された前記画像データと前記患者識別情報を用いてフィルム印刷用データを生成するステップを有することを特徴としている。
【００１４】
更に、請求項１４に係る本発明の患者情報管理方法は、検査オーダを入力するステップと、前記検査オーダに基づいて患者識別情報の発生と保存を行なうステップと、前記検査オーダに基づいて収集された画像データと患者情報に対し前記患者識別情報を付加して保存するステップと、フィルム印刷において指定された患者識別情報と保存された前記患者識別情報を照合し、指定された前記患者識別情報と同一の患者識別情報が付加された前記画像データと前記患者識別情報を用いてフィルム印刷用データを生成するステップと、フィルム印刷された前記フィルム印刷用データにおける患者識別情報を検出するステップと、検出された前記患者識別情報及と保存された前記患者情報を照合し、検出された前記患者識別情報と同一の患者識別情報が付加された前記患者情報を表示するステップを有することを特徴としている。
【発明の効果】
【００１５】
本発明によれば、患者識別情報を用いて患者情報を含む当該患者の医療情報を一元管理することにより、画像データのフィルム印刷における患者情報の漏洩とフィルム読影における患者の取り違えを防止することが可能となる。
【発明を実施するための最良の形態】
【００１６】
以下、図面を参照して本発明の実施例を説明する。
【実施例１】
【００１７】
以下に述べる本発明の第１の実施例における第１の特徴は、当該患者の患者情報と画像データに対し検査オーダに基づいて発生させた患者識別情報を付加して一旦保存し、保存した画像データをフィルム印刷する際に開示不可な患者情報の替わりに患者識別情報を画像データと共に読み出してフィルム印刷することにある。
【００１８】
又、本実施例における第２の特徴は、フィルム印刷された画像データを読影する際に、画像データと共にフィルム印刷された患者識別情報に基づいて既に保存されている患者情報を読み出し、画像データと患者の照合を行なうことにある。尚、以下では、医用画像診断システムとしてＸ線診断装置について述べるがこれに限定されるものではなく、例えば、Ｘ線ＣＴ装置やＭＲＩ装置等の他の医用画像診断装置であってもよい。
【００１９】
（医用画像診断システムの構成）
本発明の第１の実施例における医用画像診断システムの構成につき図１乃至図４を用いて説明する。図１は、医用画像診断システムの全体構成を示すブロック図であり、この医用画像診断システム１００は、例えば、患者に対してＸ線を照射し、透過されたＸ線を検出することによってＸ線画像データ（以下、画像データと呼ぶ）を生成する画像データ生成部１と、ネットワークＮＷを介して医用画像診断システム１００と接続されたＲＩＳ（放射線情報システム）から供給される画像データの検査オーダに基づいて患者識別情報を発生する識別情報発生部２と、前記ＲＩＳから供給された患者情報と前記画像データ生成部１において生成された画像データに対し前記患者識別情報を付帯情報として付加して保存する医療情報ＤＢ部３と、患者識別情報の保存と照合を行なう識別情報ＤＢ部４と、画像データ、開示可能な患者情報及び患者識別情報をフィルム印刷するための印刷用データを生成する印刷用データ生成部５を備えている。
【００２０】
更に、医用画像診断システム１００は、フィルム上に画像データと共に印刷された患者識別情報を検出する識別情報検出部６と、検出された患者識別情報（以下では、検出識別情報と呼ぶ。）に基づいて医療情報ＤＢ部３から読み出された患者情報を表示する患者情報表示部７を備え、更に、ネットワークＮＷを介して後述のシステム制御部９と接続され、検査オーダの指示信号やフィルム印刷のコマンド信号等を入力する入力部８と、上述の各ユニットを統括的に制御するシステム制御部９を備えている。
【００２１】
識別情報発生部２は、当該患者の担当医師が入力部８において入力した指示信号に従がってＲＩＳが発信したＸ線撮影の検査オーダをネットワーク及びシステム制御部９を介して受信し、この検査オーダに対して患者識別情報を発生する。この場合の患者識別情報は他の患者のものと重複しないように独自のものが設定され、例えば、以下に示す患者識別情報「Ｘ−０１−１００１」は、１番目のＸ線診断装置において１００１番目に検査された患者の患者識別情報を示している。そして、識別情報発生部２は、発生した患者識別情報をシステム制御部９及びネットワークＮＷを介して入力部８に供給し、更に、医療情報ＤＢ部３と識別情報ＤＢ部４に供給する。
【００２２】
一方、医療情報ＤＢ部３は、画像データ生成部１において生成された画像データを保存する画像データ記憶回路３１と、ネットワークＮＷを介して入力部８あるいはＲＩＳから供給された患者情報を保存する患者情報記憶回路３２と、識別情報発生部２から供給された患者識別情報を保存する識別情報記憶回路３３と、上述の各記憶回路に保存された各種データの入出力を制御するデータ入出力制御部３４を備えており、画像データ記憶回路３１には、患者識別情報を付帯情報とした画像データが保存され、患者情報記憶回路３２には、前記患者識別情報を付帯情報とした患者情報が保存される。
【００２３】
尚、この場合の患者情報として患者名、患者ＩＤ、性別、生年月日、疾患名、検査結果（検査数値）、画像データの撮影条件等があり、これらの患者情報のうち、例えば、患者名、生年月日、疾患名、検査結果等は個人の特定が可能ゆえ第３者への開示が望ましくない患者情報（開示不可な患者情報）であり、患者ＩＤ、画像データの撮影条件等は第３者への開示が特に問題とならない患者情報（開示可能な患者情報）として予め分類されている。
【００２４】
一方、医療情報ＤＢ部３のデータ入出力制御部３４は、識別情報発生部２から供給された患者識別情報を識別情報記憶回路３３に保存すると共に、この患者識別情報に対応した画像データ及び患者情報を保存するための記憶領域を画像データ記憶回路３１及び患者情報記憶回路３２に設定する。
【００２５】
又、データ入出力制御部３４は、識別情報ＤＢ部４から供給された患者識別情報の照合結果に基づいて画像データ記憶回路３１、患者情報記憶回路３２あるいは識別情報記憶回路３３における各データの出力を制御し、画像データ、患者識別情報及び開示可能な患者情報の印刷用データ生成部５への出力、あるいは、患者情報表示部7への出力を行なう。
【００２６】
一方、識別情報ＤＢ部４は、図示しないＣＰＵと記憶回路を備え、識別情報発生部２から供給された患者識別情報は前記記憶回路に保存される。一方、前記ＣＰＵは、フィルム印刷時において入力部８から供給される患者識別情報（以下、指定識別情報と呼ぶ。）と前記記憶回路に保存されている患者識別情報を照合し、指定識別情報と同一の患者識別情報が前記記憶回路に存在する場合には、この指定識別情報と読み出し指示信号を医療情報ＤＢ部３のデータ入出力制御部３４に供給する。
【００２７】
同様にして、前記ＣＰＵは、フィルム読影時において識別情報検出部６から供給された検出識別情報と前記記憶回路に保存されている患者識別情報を照合し、検出識別情報と同一の患者識別情報が前記記憶回路に存在する場合には、この検出識別情報と読み出し指示信号をデータ入出力制御部３４に供給する。
【００２８】
即ち、上述の医療情報ＤＢ部３の入出力制御部３４は、フィルム印刷時において識別情報ＤＢ部４より指定識別情報と読み出し指示信号が供給されたならば、画像データ記憶回路３１、患者情報記憶回路３２及び識別情報記憶回路３３に対して読み出し用駆動信号を供給し当該患者の画像データ、患者識別情報及び開示可能な患者情報を読み出して印刷用データ生成部５に供給する。
【００２９】
更に、入出力制御部３４は、フィルム読影時において識別情報ＤＢ部４より検出識別情報と読み出し指示信号が供給されたならば、患者情報記憶回路３２に対して読み出し用駆動信号を供給し、患者情報を読み出して患者情報表示部７に供給する。
【００３０】
次に、印刷用データ生成部５は、フィルム印刷を行なう場合に医療情報ＤＢ部３から供給された画像データ、患者識別情報及び開示可能な患者情報を合成し、所定フォーマットに従がってフィルム印刷用データを生成する。図２は、このとき、印刷用データ生成部５にて生成される印刷用データの具体例を示したものであり、この印刷用データ６０は、画像データが印刷される画像データ印刷領域６１と患者識別情報が印刷される患者識別情報印刷領域６２と患者ＩＤや画像データの撮影条件等の開示可能な患者情報が印刷される患者情報印刷領域６３等から構成されている。
【００３１】
そして、識別情報検出部６は、例えば、光学的な文字読み取り器（ＯＣＲ：Optical character reader）を備え、フィルム印刷された患者識別情報の文字や数字を読み取り、予め記憶されたパターンとの照合により文字あるいは数字を特定して検出識別情報を検出する。そして、得られた検出識別情報を識別情報ＤＢ部４に供給する。
【００３２】
又、患者情報表示部７は、図示しない表示データ生成回路とモニタを備え、フィルム読影に際して前記表示データ生成回路は医療情報ＤＢ部３から供給された当該患者の患者情報を所定フォーマットに変換した後モニタに表示する。尚、フィルム読影に使用される上述の識別情報検出部６及び患者情報表示部７は、画像データが印刷されたフィルムを貼付する図示しないシャーカステン（表示用パネル）の近傍に設けられる。
【００３３】
一方、入力部８は、ネットワークＮＷを介してシステム制御部９に接続され、図示しない操作パネル上にキーボード、トラックボール、マウス、カードリーダ等の入力デバイスと表示パネルを備えている。そして、担当医師によって検査オーダ指示信号、フィルム印刷コマンド信号、指定識別情報等の入力が上記入力デバイスを用いて行なわれ、更に、検査オーダに基づいて識別情報発生部２が発生した患者識別情報や識別情報ＤＢ部４における患者識別情報の照合結果等は上記表示パネルに表示され、担当医師に通知される。
【００３４】
次に、本実施例の画像データ生成部１の具体例としてＸ線画像データ生成部１ａの構成につき図３のブロック図を用いて説明する。
【００３５】
図３のＸ線画像データ生成部１ａは、患者１５０に対してＸ線を発生するためのＸ線発生部１６と、患者１５０を透過したＸ線を２次元的に検出すると共に、この検出結果に基づいて投影データを生成するＸ線検出部１２と、Ｘ線発生部１６のＸ線照射部１１とＸ線検出部１２（以下、これらを纏めて撮像系と呼ぶ。）を保持する図示しない保持部と、被検体１５０を載置する天板１７と、前記撮像系及び天板１７の移動とその制御を行なう移動機構部１３と、Ｘ線検出部１２において生成された投影データに基づいて画像データの生成と保存を行なう画像データ生成記憶部１５を備えている。
【００３６】
Ｘ線発生部１６は、Ｘ線照射部１１と高電圧発生部１４から構成されており、Ｘ線照射部１１は、Ｘ線管１１５と可動絞り器１１６を備え、高電圧発生部１４は、高電圧発生器１４２と高電圧制御部１４１を備えている。
【００３７】
Ｘ線照射部１１のＸ線管１１５は、Ｘ線を発生する真空管であり、陰極（フィラメント）より放出された電子を高電圧によって加速させてタングステン陽極に衝突させＸ線を発生する。又、可動絞り器１１６は、被検体撮影部位にのみＸ線を照射することによって被曝線量の低減と画質向上を行なう目的で用いられており、Ｘ線管１１５から放射されたコーンビームの照射領域を所定範囲に設定する。
【００３８】
高電圧発生部１４における高電圧発生器１４２は、Ｘ線管１１５の陰極から発生する熱電子を加速するために、陽極と陰極の間に印加する高電圧を発生させ、高電圧制御部１４１は、予め設定されたＸ線照射条件に基づいて高電圧発生器１４２の管電流／管電圧、照射時間、照射繰返し周期等を制御する。
【００３９】
一方、Ｘ線検出部１２は、被検体１５０を透過したＸ線を電荷に変換して蓄積する平面検出器１２１と、この平面検出器１２１に蓄積された電荷を読み出すためのゲートドライバ１２２と、読み出された電荷からＸ線投影データを生成する投影データ生成部１１３を備えている。尚、Ｘ線検出方式には、Ｘ線を直接電荷に変換する方式と、一旦光に変換した後電荷に変換する方式があり、本実施例では前者を例に説明するが後者であっても構わない。
【００４０】
平面検出器１２１は、図４に示すように微小な検出素子５１を列方向及びライン方向に２次元的に配列して構成されており、各々の検出素子５１はＸ線を感知し、入射Ｘ線量に応じて電荷を生成する光電膜５２と、光電膜５２に発生した電荷を蓄積する電荷蓄積コンデンサ５３と、電荷蓄積コンデンサ５３に蓄積された電荷を所定のタイミングで読み出すＴＦＴ（薄膜トランジスタ）５４を備えている。以下では説明を簡単にするために、例えば、検出素子５１が列方向（図４の上下方向）、及びライン方向（図４の左右方向）に２素子ずつ配列されている場合の平面検出器１２１の構成について説明する。
【００４１】
図４に示した平面検出器１２１では、光電膜５２−１１、５２−１２、５２−２１、５２−２２の第１の端子と、電荷蓄積コンデンサ５３−１１、５３−１２、５３−２１、５３−２２の第１の端子とが接続され、更に、その接続点はＴＦＴ５４−１１、５４−１２、５４−２１、５４−２２のソース端子へ接続される。一方、光電膜５２−１１、５２−１２、５２−２１、５２−２２の第２の端子は、図示しないバイアス電源に接続され、電荷蓄積コンデンサ５３−１１、５３−１２、５３−２１、５３−２２の第２の端子は接地される。更に、ライン方向のＴＦＴ５４−１１及びＴＦＴ５４−２１のゲートはゲートドライバ１２２の出力端子１２２−１に共通接続され、又、ＴＦＴ５４−１２、及びＴＦＴ５４−２２のゲートはゲートドライバ１２２の出力端子１２２−２に共通接続される。
【００４２】
一方、列方向のＴＦＴ５４−１１及び５４−１２のドレイン端子は信号出力線５９−１に共通接続され、ＴＦＴ５４−２１及び５４−２２のドレイン端子は信号出力線５９−２にそれぞれ共通接続される。そして、信号出力線５９−１、５９−２は投影データ生成部１１３に接続されている。一方、ゲートドライバ１２２は、Ｘ線照射によって検出素子５１の光電膜５２で発生し電荷蓄積コンデンサ５３にて蓄積される信号電荷を読み出すために、ＴＦＴ５４のゲート端子に読み出し用の駆動パルスを供給する。
【００４３】
図３に戻って、投影データ生成部１１３は、平面検出器１２１から読み出された電荷を電圧に変換する電荷／電圧変換器１２３と、電荷／電圧変換器１２３の出力をデジタル信号に変換するＡ／Ｄ変換器１２４と、平面検出器１２１からライン単位でパラレルに読み出されデジタル変換されたＸ線投影データを時系列信号に変換するパラレル／シリアル変換器１２５を備えている。尚、上述の電荷／電圧変換器１２３及びＡ／Ｄ変換器１２４は、平面検出器１２１における信号出力線５９と等しいチャンネル数から構成されている。
【００４４】
次に、移動機構部１３は、Ｘ線照射部１１における可動絞り器１１６を移動させるための絞り移動制御部１３１と、天板１７を被検体１５０の体軸方向（図３のＹ方向）及び体軸に対して垂直な方向（図３のＸ方向）に移動させるための天板移動機構１３２と、Ｘ線照射部１１及びＸ線検出部１２（撮像系）が取り付けられた図示しない保持部を被検体１５０の周囲で回動させるための保持部移動機構１３３と、絞り移動制御部１３１、天板移動機構１３２及び保持部移動機構１３３を制御する機構制御部１３５を備えている。
【００４５】
一方、画像データ生成記憶部１５は、Ｘ線検出部１２の投影データ生成部１１３におけるパラレル／シリアル変換器１２５によってライン方向の時系列信号に変換された投影データを順次保存して２次元の画像データを生成する。
【００４６】
（医療情報の保管手順）
次に、本実施例における医療情報の保管手順につき図５のフローチャートに沿って説明する。この場合、当該患者の患者ＩＤ、患者名、生年月日、疾患名等の患者情報は、収集済みの検査データと共にネットワークＮＷを介して接続されたＲＩＳ（放射線情報システム）に保管されている場合について述べるが、入力部８において担当医師が新たに入力しても構わない。
【００４７】
先ず、当該患者の担当医師は、ネットワークＮＷを介して接続された入力部８において画像データ（Ｘ線画像データ）の生成と保存を行なうための検査オーダ指示信号を入力し、同じネットワークＮＷに接続されているＲＩＳは、この指示信号に従がって検査オーダを発信する（図５のステップＳ１）、そして、発信した検査オーダは、ネットワークＮＷ及びシステム制御部９を介して識別情報発生部２に供給される。
【００４８】
システム制御部９から検査オーダを受信した識別情報発生部２は、この検査オーダに対して患者識別情報を発生する。このとき、画像診断装置（Ｘ線診断装置）が特定され、更に、この画像診断装置における他の患者と重複しない患者識別情報（例えば、「Ｘ−０１−１００１」）が設定される（図５のステップＳ２）。そして、識別情報発生部２は、発生した患者識別情報をシステム制御部９及びネットワークＮＷを介して入力部８に供給し、例えば、入力部８の表示パネルに表示することにより検査オーダ指示信号を入力した担当医師に通知する。更に、識別情報発生部２は、上述の患者識別情報を医療情報ＤＢ部３と識別情報ＤＢ部４に供給する。
【００４９】
一方、入力部８から検査オーダ指示信号を受信したＲＩＳは、この検査オーダ指示信号に基づいて当該患者の患者情報を検索し、収集した患者情報をネットワークＮＷ及びシステム制御部９を介して医療情報ＤＢ部３に供給する。
【００５０】
患者情報と患者識別情報が供給された医療情報ＤＢ部３のデータ入出力制御部３４は、患者識別情報が付帯情報として付加された患者情報を患者情報記憶回路３２に、患者識別情報を識別情報記憶回路３３に保存する。（図５のステップＳ３）。同様にして、識別情報ＤＢ部４のＣＰＵは、供給された患者識別情報を内部の記憶回路に保存する（図５のステップＳ４）。
【００５１】
一方、ＲＩＳより検査オーダを受信したシステム制御部９は、画像データ生成部１のＸ線発生部１６における高電圧制御部１４１に対してＸ線照射条件を供給する。そして、高電圧制御部１４１は、供給されたＸ線照射条件に基づき高電圧発生器１４２を制御して所定の高電圧をＸ線照射部１１のＸ線管１１５に印加し、Ｘ線管１１５は、可動絞り器１１６を介し被検体１５０に対してＸ線を照射する。そして、被検体１５０を透過したＸ線は、被検体１５０の後方に設けられた平面検出器１２１において検出される。
【００５２】
平面検出器１２１の検出素子５１は、被検体１５０を透過したＸ線を受信して、そのＸ線透過量に比例した信号電荷を検出素子５１の電荷蓄積コンデンサ５３に蓄積する。Ｘ線照射が終了するとゲートドライバ１２２は、平面検出器１２１に対して駆動パルスを供給し検出素子５１の電荷蓄積コンデンサ５３に蓄積されたライン方向の信号電荷を列方向に順次読み出す。
【００５３】
次に、読み出された信号電荷は、投影データ生成部１１３における電荷／電圧変換器１２３において電圧に変換され、更に、Ａ／Ｄ変換器１２４においてデジタル信号に変換された後パラレル／シリアル変換器１２５のメモリにおいて１ライン分の投影データとして一旦保存される。そして、保存された投影データはライン単位でシリアルに順次読み出され画像データ生成記憶部１５の記憶回路に保存されて２次元の画像データを生成する。
【００５４】
次いで、画像データ生成記憶部１５に一旦保存された画像データは、医療情報ＤＢ部３に供給され、この画像データを受信したデータ入出力制御部３４は、画像データ記憶回路３１において上述の患者識別情報に対応付けられた所定の記憶領域を検索し、患者識別情報が付帯情報として付加された画像データを画像データ記憶回路３１の前記記憶領域に保存する（図５のステップＳ５）。即ち、画像データ及び患者情報は、何れも患者識別情報が付帯情報として付加された状態で医療情報ＤＢ部３における各々の記憶回路に保存される。
【００５５】
（医療情報のフィルム印刷手順）
次に、本実施例における医療情報のフィルム印刷手順につき図６のフローチャートを用いて説明する。
【００５６】
当該患者の担当医師は、先ず入力部８においてフィルム印刷モードを選択した後、既にシステム制御部９を介して識別情報発生部２から通知された当該患者の患者識別情報「Ｘ−０１−１０００１」を指定識別情報として入力し（図６のステップＳ１１）、更に、フィルム印刷コマンドを入力する（図６のステップＳ１２）。
【００５７】
入力部８より上述のフィルム印刷コマンドと指定識別情報をネットワークＮＷを介して受信したシステム制御部９は、この指定識別情報「Ｘ−０１−１００１」を識別情報ＤＢ部４に供給し、識別情報ＤＢ部４のＣＰＵは、自己の記憶回路に保存されている複数の患者識別情報と前記指定識別情報を照合する（図６のステップＳ１３）。
【００５８】
そして、入力部８から供給された指定識別情報と同一の患者識別情報が識別情報ＤＢ部４に存在する場合には、その照合結果を医療情報ＤＢ部３のデータ入出力制御部３４に供給し、データ入出力制御部３４は、識別情報記憶回路３３に保存されている当該患者の患者識別情報を読み出す。更に、データ入出力制御部３４は、この患者識別情報が付帯情報として付加されている画像データ及び開示可能な患者情報を画像データ記憶回路３１及び患者情報記憶回路３２から読み出し、前記患者識別情報と共に印刷用データ生成部５に供給する（図６のステップＳ１４）。
【００５９】
次いで、印刷用データ生成部５は、医療情報ＤＢ部３から供給された画像データ、患者識別情報及び開示可能な患者情報を合成し、例えば、図２に示す所定フォーマットに従がってフィルム印刷のための印刷用データを生成する（図６のステップＳ１５）。そして、得られた印刷用データを別途接続されたフィルム印刷器に供給してフィルム上に上述の医療情報を印刷する（図６のステップＳ１６）。又、このフィルム印刷の実行と並行して識別情報ＤＢ部４のＣＰＵは、上述の照合結果をシステム制御部９及びネットワークＮＷを介して入力部８に供給し、フィルム印刷が実行された旨を担当医師に通知する。
【００６０】
一方、上述のステップＳ１３において、入力部８から送られた指定識別情報と同一の患者識別情報が識別情報ＤＢ部４に存在しない場合には、識別情報ＤＢ部４のＣＰＵからその照合結果を受信したシステム制御部９はフィルム印刷を中止し（図６のステップＳ１７）、フィルム印刷が不可である旨を入力部８の担当医師に通知する。
【００６１】
（医療情報のフィルム読影手順）
次に、本実施例における医療情報のフィルム読影手順につき図７のフローチャートを用いて説明する。
【００６２】
当該患者の担当医師は、フィルムに印刷された画像データを読影する際に、例えば、シャーカステンの近傍に配置した識別情報検出部６における光学的文字読み取り器をフィルム上の患者識別情報印刷領域５２（図２参照）に接近させ、この患者識別情報印刷領域５２に印刷された患者識別情報の文字や数字を読み取る。次いで、読み取ったデータと予め記憶されたパターンとの照合により文字あるいは数字を特定して検出識別情報「Ｘ−０１−１００１」を検出し、この検出識別情報を識別情報ＤＢ部４に供給する（図７のステップＳ２１）。
【００６３】
上述の検出識別情報が供給された識別情報ＤＢ部４のＣＰＵは、自己の記憶回路に保存されている複数の患者識別情報と上述の検出識別情報を照合する（図７のステップＳ２２）。
【００６４】
そして、識別情報検出部６から供給された検出識別情報と同一の患者識別情報が識別情報ＤＢ部４に存在している場合には、その照合結果を医療情報ＤＢ部３のデータ入出力制御部３４に供給し、データ入出力制御部３４は、患者情報記憶回路３２に保存されている複数の患者識別情報の中から前記検出識別情報と同一の患者識別情報が付帯情報として付加されている患者情報を読み出し、患者情報表示部７の表示データ生成回路に供給する（図７のステップＳ２３）。
【００６５】
一方、検出識別情報に対応した患者情報が供給された患者情報表示部７は、これらのデータを所定表示フォーマットに変換してモニタに表示する。次いで、担当医師は、患者情報表示部７に表示された患者情報と持参した当該患者のカルテに記載されている患者情報を照合することによって読影しようとしている画像データが当該患者のものであることを確認する（図７のステップＳ２４）。そして、シャーカステンに貼付されているフィルムの画像データに対して読影を行ない（図７のステップＳ２５）、フィルム読影を終了する（図７のステップＳ２６）。
【００６６】
一方、上述のステップＳ２２において、識別情報検出部６から供給された検出識別情報と同一の患者識別情報が識別情報ＤＢ部４に存在しない場合には、識別情報ＤＢ部４のＣＰＵからその照合結果を受信したシステム制御部９は、例えば、患者情報表示部７にその旨を表示しフィルム読影を中止する（図７のステップＳ２７）。
【００６７】
以上述べた本発明の第１の実施例によれば、当該患者の患者情報と画像データに対し患者識別情報を付加して保存することにより、開示不可の患者情報を第３者に開示することなく画像データを一元管理することが可能となる。
【００６８】
又、画像データをフィルム印刷する際に、開示不可の患者情報の替わりに患者識別情報を画像データと共に読み出してフィルム印刷するため患者情報の漏洩を防止することができる。
【００６９】
更に、フィルム印刷された画像データを読影する際に、画像データと共に印刷されている患者識別情報に基づいて保存されている患者情報を読み出し、この患者情報を所定の表示部に表示することにより当該患者の確認が容易となるため、フィルム読影における患者の取り違えを防止することができる。
【００７０】
又、フィルム読影における患者情報の表示は、専用のモニタにおいて行われるため従来のフィルム印刷された患者情報と比較して詳細な情報を得ることが可能となる。
【実施例２】
【００７１】
以下に述べる本発明の第２の実施例の特徴は、医用画像診断装置によって得られた当該患者の画像データと患者情報に対し患者識別情報を付加して一元管理することが可能な患者情報管理システムが前記画像診断装置に対して独立して構成されていることにある。
【００７２】
そして、この患者情報管理システムにより患者情報の漏洩防止を目的としたフィルム印刷と患者取り違えの防止を目的としたフィルム読影が行なわれる。
【００７３】
（患者情報管理システムの構成）
本発明の第２の実施例における患者情報管理システムの構成につき図８を用いて説明する。尚、図８に示した患者情報管理システムの全体構成を示すブロック図において、図１の医用画像診断システム１００と同一の機能を有するユニットは同一の符号を付加し詳細な説明を省略する。
【００７４】
即ち、患者情報管理システム２００は、ネットワークＮＷを介して接続されたＲＩＳから供給される検査オーダに基づいて患者識別情報を発生する識別情報発生部２と、ＲＩＳあるいはネットワークＮＷを介して接続された入力部８から供給される患者情報と別途備えられた図示しない医用画像診断装置において生成された画像データに対して前記患者識別情報を付帯情報として付加して保存する医療情報ＤＢ部３と、患者識別情報の保存と照合を行なう識別情報ＤＢ部４と、画像データ、開示可能な患者情報及び患者識別情報をフィルム印刷するための印刷用データを生成する印刷用データ生成部５を備えている。
【００７５】
更に、患者情報管理システム２００は、フィルム上に画像データと共に印刷された患者識別情報を検出する識別情報検出部６と、検出された患者識別情報（検出識別情報）に基づいて医療情報ＤＢ部３から読み出された患者情報を表示する患者情報表示部７を備え、更に、検査オーダ指示信号、フィルム印刷コマンド信号、指定識別情報等の入力を行なう入力部８と、上述の各ユニットを統括的に制御するシステム制御部９を備えている。
【００７６】
（医療情報の保管手順）
次に、本実施例における医療情報の保管手順につき図９のフローチャートに沿って説明する。先ず、当該患者の担当医師は、ネットワークＮＷを介して接続された入力部８において別途設置された医用画像診断装置における画像データの生成と保存を行なうための検査オーダ指示信号を入力し、同じネットワークＮＷに接続されているＲＩＳは、この指示信号に従がって検査オーダを発信する。そして、発信した検査オーダは、ネットワークＮＷ及びシステム制御部９を介して識別情報発生部２に供給される。
【００７７】
システム制御部９から検査オーダを受信した識別情報発生部２は、この検査オーダに対して患者識別情報を発生する。次いで、この患者識別情報をシステム制御部９及びネットワークＮＷを介して入力部８に供給して検査オーダ指示信号を入力した担当医師に通知する。更に、識別情報発生部２は、上述の患者識別情報を医療情報ＤＢ部３と識別情報ＤＢ部４に供給する。
【００７８】
一方、入力部８において入力された検査オーダ指示信号は、ネットワークＮＷを介してＲＩＳに供給され、この検査オーダ指示信号に基づいて当該患者の患者情報が検索される。そして、収集した患者情報は、ネットワークＮＷ及びシステム制御部９を介して医療情報ＤＢ部３に供給される。
【００７９】
患者情報と患者識別情報が供給された医療情報ＤＢ部３のデータ入出力制御部３４は、患者識別情報が付帯情報として付加された患者情報を患者情報記憶回路３２に、患者識別情報を識別情報記憶回路３３に保存する。同様にして、識別情報ＤＢ部４のＣＰＵは、供給された患者識別情報を内部の記憶回路に保存する。
【００８０】
一方、ＲＩＳより検査オーダを受信したシステム制御部９は、医用画像診断装置に対して画像データを生成するための指示信号を供給する。そして、この指示信号に基づいて医用画像診断装置が生成した当該患者の画像データは医療情報ＤＢ部３に供給され、この画像データを受信したデータ入出力制御部３４は、画像データ記憶回路３１において上述の患者識別情報に対応付けられた所定の記憶領域を検索し、患者識別情報が付帯情報として付加された画像データを画像データ記憶回路３１の前記記憶領域に保存する。
【００８１】
次いで、医療情報ＤＢ部３において保存された画像データあるいは患者情報を用いてフィルム印刷やフィルム読影が行なわれるが、これらの手順は上述の第１の実施例と同様であるため説明を省略する。
【００８２】
以上述べた本発明の第２の実施例によれば、第１の実施例と同様の効果を得ることができ、更に、医用画像診断装置に対して独立に構成されているため、あらゆる医用画像診断装置に対しても共通に接続して使用することが可能となる。
【００８３】
以上、本発明の実施例について述べてきたが、本発明は上述の実施例に限定されるものでは無く、変形して実施することが可能である。例えば、上述の実施例における画像データのフィルム印刷では、検査オーダの入力時に識別情報発生部２が発生した患者識別情報がそのまま画像データと共にフィルム印刷される場合について述べたが、この患者識別情報をバーコードに変換し、得られたバーコードを画像データと共にフィルム印刷してもよい。この場合、印刷用データ生成部５は、患者識別情報をバーコードに変換する機能を備え、識別情報検出部６は、このバーコードを元の患者識別情報（検出識別情報）に変換する機能を備える。この方法によれば、フィルム印刷時における患者情報の漏洩を更に厳格に防止することが可能となる。
【００８４】
又、上述の実施例では、患者識別情報に基づいて画像データと患者情報の一元管理を行なったが、この患者識別情報と医師のアクセス権に基づいた一元管理により更に厳しい患者情報管理を行なうことができる。例えば、検査オーダの入力時に担当医師は自己のアクセス権情報を同時に入力し、このアクセス権の情報と前記検査オーダに基づいて発生した患者識別情報を識別情報ＤＢ部４に保存する。一方、フィルム読影において担当医師は、識別情報検出部６が検出した患者識別情報（検出識別情報）と自己のアクセス権情報を識別情報ＤＢ部４に供給することにより前記アクセス権を有した担当医師のみが当該患者の患者情報を観察することが可能となる。
【００８５】
尚、上述の実施例における識別情報検出部６は、シャーカステンの一部として設けられてもよい。即ち、シャーカステンに識別情報検出部６を内蔵させることにより、フィルム読影時にフィルムをシャーカステンに貼付するだけでこのフィルムに印刷された患者情報を検出することができるため、フィルム読影における担当医師の負担が軽減され、診断効率が向上する。
【００８６】
一方、医療情報ＤＢ部３の患者情報記憶回路３２において、患者情報と共に当該患者に対する検体検査データや生体信号計測データ等の他の検査データを保存し、フィルム読影時の患者情報表示においてこれらの検査データを参照データとして表示してもよい。この検査データを参照表示することに診断精度が向上する。
【００８７】
又、上述の実施例における入力部８は、医用画像診断システム１００あるいは、患者情報管理システム２００のシステム制御部９に対しネットワークＮＷを介して接続した場合について述べたが、前記システム制御部９に直接接続してもよい。一方、患者情報表示部７及び識別情報検出部６は、ネットワークＮＷを介して医用情報ＤＢ部３あるいは識別情報ＤＢ部４に接続してもよい。
【図面の簡単な説明】
【００８８】
【図１】本発明の第１の実施例における医用画像診断システムの全体構成を示すブロック図。
【図２】同実施例の印刷用データ生成部にて生成される印刷用データの具体例を示す図。
【図３】同実施例における画像データ生成部の具体例としてのＸ線画像データ生成部を示すブロック図。
【図４】同実施例の画像データ生成部における平面検出器の構成を示す図。
【図５】同実施例における医療情報の保管手順を示すフローチャート。
【図６】同実施例における医用情報のフィルム印刷手順を示すフローチャート。
【図７】同実施例における医用情報のフィルム読影手順を示すフローチャート。
【図８】本発明の第２の実施例における患者情報管理システムの全体構成を示すブロック図。
【符号の説明】
【００８９】
１…画像データ生成部
２…識別情報発生部
３…医療情報ＤＢ部
４…識別情報ＤＢ部
５…印刷用データ生成部
６…識別情報検出部
７…患者情報表示部
８…入力部
９…システム制御部
３１…画像データ記憶回路
３２…患者情報記憶回路
３３…識別情報記憶回路
１００…医用画像診断システム
２００…患者情報管理システム
【図１】
2006198043.tif 000003
【図２】
2006198043.tif 000004
【図３】
2006198043.tif 000005
【図４】
2006198043.tif 000006
【図５】
2006198043.tif 000007
【図６】
2006198043.tif 000008
【図７】
2006198043.tif 000009
【図８】
2006198043.tif 000010